(57)【要約】【課題】  １つ用意しておくだけで結線の切替とケーブルの延長とに対応でき、複数種類のコネクタを別々に用意しておかなければならない従来の煩雑さが解消されると共に、小型化を図れる結線切替コネクタを提供する。【解決手段】  ＬＡＮケーブルの結線方式を切り替える場合には、結線切替スイッチ５をクロス結線切替状態に切り替えることで、第１のジャック３にプラグが差し込まれる一方のＬＡＮケーブルは、第２のジャック４にプラグが差し込まれる結線方式が異なる他方のＬＡＮケーブルと電気的に接続される。また、ＬＡＮケーブルの長さを延長させる場合には、結線切替スイッチ５をストレート結線切替状態に切り替えることで、第１のジャック３にプラグが差し込まれる一方のＬＡＮケーブルは、第２のジャック４にプラグが差し込まれる結線方式が同じ他方のＬＡＮケーブルと電気的に接続される。【選択図】  図４
2019114459.tif 000002
【特許請求の範囲】
【請求項１】
ケーブル内部の結線方式が異なるケーブルどうしを接続させてケーブルの結線方式を切り替える結線切替コネクタにおいて、
一方のケーブルに設けられたプラグが差し込まれる第１のジャックと、他方のケーブルに設けられたプラグが差し込まれる第２のジャックと、前記第１のジャックおよび前記第２のジャックの各コンタクトの配置順が異なるコンタクトどうしを接続する切替状態を少なくとも一部に含むクロス結線切替状態と前記第１のジャックおよび前記第２のジャックの各コンタクトの配置順が同じコンタクトどうしを接続させるストレート結線切替状態とに前記第１のジャックおよび前記第２のジャックの各コンタクト間の電気的接続を切り替える結線切替スイッチと、前記第１のジャックおよび前記第２のジャックの各コンタクト間の電気的接続を前記結線切替スイッチを介して前記クロス結線切替状態に結線させるクロス結線用配線と、前記第１のジャックおよび前記第２のジャックの各コンタクト間の電気的接続を前記結線切替スイッチを介して前記ストレート結線切替状態に結線させるストレート結線用配線とが１つの基板に備えられて構成されることを特徴とする結線切替コネクタ。
【請求項２】
前記第１のジャックに接続される第１ジャック側機器の第１ジャック側フレームグランド電位が伝わる前記第１のジャックの第１ジャックシェルと前記第２のジャックに接続される第２ジャック側機器の第２ジャック側フレームグランド電位が伝わる前記第２のジャックの第２ジャックシェルとの間の電気的接続を断続するフレームグランド断続スイッチと、前記第１ジャックシェルおよびフレームグランド断続スイッチ間を接続する第１ジャック側フレームグランド用配線と、前記第２ジャックシェルおよびフレームグランド断続スイッチ間を接続する第２ジャック側フレームグランド用配線とを前記基板に備えることを特徴とする請求項１に記載の結線切替コネクタ。
【請求項３】
前記第１ジャック側フレームグランド用配線に設けられて前記第１ジャック側フレームグランド電位に接続される第１ジャック側端子を前記基板に備えることを特徴とする請求項２に記載の結線切替コネクタ。
【請求項４】
前記第２ジャック側フレームグランド用配線に設けられて前記第２ジャック側フレームグランド電位に接続される第２ジャック側端子を前記基板に備えることを特徴とする請求項３に記載の結線切替コネクタ。
【請求項５】
前記基板は回路基板であり、配線は前記回路基板に薄膜の導電体がパターニングされて形成されることを特徴とする請求項１から請求項４のいずれか１項に記載の結線切替コネクタ。
【請求項６】
前記第１ジャック側端子と第２ジャック側端子は、前記第１ジャック側フレームグランド用配線と第２ジャック側フレームグランド用配線にそれぞれ設けられるランドと、ネジを着脱自在とするネジ固定部によってそれぞれ構成されることを特徴とする請求項３または請求項４を引用する請求項５に記載の結線切替コネクタ。
【発明の詳細な説明】
【技術分野】
【０００１】
本発明は、ケーブルの結線方式を切り替える結線切替コネクタに関するものである。
【背景技術】
【０００２】
従来、この種の結線切替コネクタとしては、例えば、特許文献１に開示された結線変換コネクタがある。
【０００３】
この結線変換コネクタは、ケーブルのプラグと嵌合可能な入力側ジャックと、ストレート結線用出力側ジャック、クロス結線用出力側ジャック、およびフルクロス結線用出力側ジャックとを備える。ストレート結線用出力側ジャックは、配列順番が同じ入力側ジャックのコンタクトとそれぞれ電気的に接続されたコンタクトを備え、ケーブルの長さを延長させるのに用いられる。クロス結線用出力側ジャックは、一部が、配列順番が異なる入力側ジャックのコンタクトと電気的に接続され、残りが、配列順番が同じ入力側ジャックのコンタクトと電気的に接続されたコンタクトを備える。フルクロス結線用出力側ジャックは、配列順番が異なる入力側ジャックのコンタクトとそれぞれ電気的に接続されたコンタクトを備える。クロス結線用出力側ジャックおよびフルクロス結線用出力側ジャックは、ケーブルの結線方式を切り替えるのに用いられる。
【先行技術文献】
【特許文献】
【０００４】
【特許文献１】特開２００１−３２６０４１号公報
【発明の概要】
【発明が解決しようとする課題】
【０００５】
しかしながら、上記従来の特許文献１に開示された結線変換コネクタは、ケーブルのプラグと嵌合可能なジャックを合計で４個備えて構成され、大型化する。また、ケーブルの結線方式を切り替える結線切替コネクタと、ケーブルの長さを延長させる延長コネクタとは、従来一般的に別々に構成され、その都度、目的に応じたコネクタを用いる必要がある。このため、一般的には、結線切替コネクタと延長コネクタとの各コネクタを必要に応じて別々に用意しておかなければならず、煩雑であった。
【課題を解決するための手段】
【０００６】
本発明はこのような課題を解決するためになされたもので、
ケーブル内部の結線方式が異なるケーブルどうしを接続させてケーブルの結線方式を切り替える結線切替コネクタにおいて、
一方のケーブルに設けられたプラグが差し込まれる第１のジャックと、他方のケーブルに設けられたプラグが差し込まれる第２のジャックと、第１のジャックおよび第２のジャックの各コンタクトの配置順が異なるコンタクトどうしを接続する切替状態を少なくとも一部に含むクロス結線切替状態と第１のジャックおよび第２のジャックの各コンタクトの配置順が同じコンタクトどうしを接続させるストレート結線切替状態とに第１のジャックおよび第２のジャックの各コンタクト間の電気的接続を切り替える結線切替スイッチと、第１のジャックおよび第２のジャックの各コンタクト間の電気的接続を結線切替スイッチを介してクロス結線切替状態に結線させるクロス結線用配線と、第１のジャックおよび第２のジャックの各コンタクト間の電気的接続を結線切替スイッチを介してストレート結線切替状態に結線させるストレート結線用配線とが１つの基板に備えられて構成されることを特徴とする。
【０００７】
本構成によれば、ケーブルの結線方式を切り替える場合には、結線切替スイッチをクロス結線切替状態に切り替えることで、第１のジャックにプラグが差し込まれる一方のケーブルは、ストレート結線からクロス結線へ、または、クロス結線からストレート結線へ、結線方式を切り替えて、第２のジャックにプラグが差し込まれる結線方式が異なる他方のケーブルと電気的に接続される。また、ケーブルの長さを延長させる場合には、結線切替スイッチをストレート結線切替状態に切り替えることで、第１のジャックにプラグが差し込まれる一方のケーブルは、結線方式を変えずに、第２のジャックにプラグが差し込まれる結線方式が同じ他方のケーブルと電気的に接続される。したがって、１つの基板に、第１および第２の２個のジャック、結線切替スイッチ、並びにクロス結線用およびストレート結線用配線を備えることで、ケーブルの結線方式を切り替えると共にケーブルの長さを延長させることが可能になる。このため、本構成の結線切替コネクタを１つ用意しておくだけで、結線の切替とケーブルの延長とに対応することができ、結線切替コネクタと延長コネクタとの各コネクタを必要に応じて別々に用意しておかなければならない、従来の煩雑さが解消される。また、ジャックを４個備えて構成される従来の特許文献１に開示された結線変換コネクタに比べ、２個のジャックを備えることで結線切替コネクタを構成できるので、結線切替コネクタの小型化を図ることができる。
【０００８】
また、本発明は、第１のジャックに接続される第１ジャック側機器の第１ジャック側フレームグランド電位が伝わる第１のジャックの第１ジャックシェルと第２のジャックに接続される第２ジャック側機器の第２ジャック側フレームグランド電位が伝わる第２のジャックの第２ジャックシェルとの間の電気的接続を断続するフレームグランド断続スイッチと、第１ジャックシェルおよびフレームグランド断続スイッチ間を接続する第１ジャック側フレームグランド用配線と、第２ジャックシェルおよびフレームグランド断続スイッチ間を接続する第２ジャック側フレームグランド用配線とを基板に備えることを特徴とする。
【０００９】
ケーブルの周囲が導電性を持つ被覆で覆われてシールドが施されたケーブルが使用され、第１ジャック側機器および第２ジャック側機器間が結線切替コネクタを介して接続される場合、第１ジャック側フレームグランドおよび第２ジャック側フレームグランド間がシールドケーブルおよび結線切替コネクタを介して短絡する。このため、第１ジャック側フレームグランドおよび第２ジャック側フレームグランド間に電位差があると、フレームグランドに大電流が流れて機器を破損させることが起こり得る。しかし、本構成によれば、このような場合であっても、フレームグランド断続スイッチを開放させることで、第１ジャック側フレームグランドおよび第２ジャック側フレームグランド間のシールドケーブルによる電気的接続が切り離される。このため、シールドケーブルが使用されて第１ジャック側機器および第２ジャック側機器間が結線切替コネクタを介して接続されても、フレームグランドに大電流が流れて機器が破損する事態を回避することが可能になる。
【００１０】
また、本発明は、第１ジャック側フレームグランド用配線に設けられて第１ジャック側フレームグランド電位に接続される第１ジャック側端子を基板に備えることを特徴とする。
【００１１】
本構成によれば、第１ジャック側機器と結線切替コネクタとの間がシールドケーブルによって接続され、第２ジャック側機器と結線切替コネクタとの間がシールドされていないアンシールドケーブルによって接続される場合、第１ジャック側端子を第１ジャック側フレームグランド電位に接続することで、第１ジャック側機器と結線切替コネクタとの間を接続するシールドケーブルの両端を第１ジャック側フレームグランドに接地することができる。このため、第１ジャック側機器と結線切替コネクタとの間を接続するシールドケーブルの耐ノイズ性能を確実に発揮させることができる。
【００１２】
また、本発明は、さらに、第２ジャック側フレームグランド用配線に設けられて第２ジャック側フレームグランド電位に接続される第２ジャック側端子を基板に備えることを特徴とする。
【００１３】
本構成によれば、第１ジャック側機器と結線切替コネクタとの間、および、第２ジャック側機器と結線切替コネクタとの間が共にシールドケーブルによって接続される場合、第１ジャック側端子を第１ジャック側フレームグランド電位、第２ジャック側端子を第２ジャック側フレームグランド電位に接続することで、第１ジャック側機器と結線切替コネクタとの間、および、第２ジャック側機器と結線切替コネクタとの間がそれぞれ両端接地される。さらに、フレームグランド断続スイッチを閉じることで、各シールドケーブルの電位が共通接続されて、第１ジャック側機器と第２ジャック側機器との間が各シールドケーブルによって多並列接地される。このため、第１ジャック側機器と第２ジャック側機器との間を接続する各シールドケーブルの耐ノイズ性能を確実に発揮させることができる。
【００１４】
また、本発明は、基板が回路基板であり、配線が回路基板に薄膜の導電体がパターニングされて形成されることを特徴とする。
【００１５】
本構成によれば、配線の結線を導電体のパターニングによって容易に行えるので、結線切替コネクタの量産化および低コスト化が図れる。
【００１６】
また、本発明は、第１ジャック側端子と第２ジャック側端子が、第１ジャック側フレームグランド用配線と第２ジャック側フレームグランド用配線にそれぞれ設けられるランドと、ネジを着脱自在とするネジ固定部によってそれぞれ構成されることを特徴とする。
【００１７】
本構成によれば、第１ジャック側フレームグランド用配線に設けられる第１ジャック側ランドとネジ固定部によって第１ジャック側端子が構成され、第１ジャック側端子のネジ固定部にネジを締結してリード線の一端を第１ジャック側ランドに電気的に接続させて回路基板に固定し、リード線の他端を第１ジャック側フレームグランド電位に接続することで、第１ジャック側端子は第１ジャック側フレームグランド電位に接続される。また、第２ジャック側フレームグランド用配線に設けられる第２ジャック側ランドとネジ固定部によって第２ジャック側端子が構成され、第２ジャック側端子のネジ固定部にネジを締結してリード線の一端を第２ジャック側ランドに電気的に接続させて回路基板に固定し、リード線の他端を第２ジャック側フレームグランド電位に接続することで、第２ジャック側端子は第２ジャック側フレームグランド電位に接続される。
【発明の効果】
【００１８】
本発明によれば、結線切替コネクタを１つ用意しておくだけで結線の切替とケーブルの延長とに対応することができ、複数種類のコネクタを必要に応じて別々に用意しておかなければならない従来の煩雑さが解消されると共に、小型化を図れる結線切替コネクタを提供することができる。
【図面の簡単な説明】
【００１９】
【図１】（ａ）は、本発明の一実施の形態による結線切替コネクタの平面図、（ｂ）は結線切替コネクタへのリード線取り付け状態を示す部分側断面図である。
【図２】一実施の形態による結線切替コネクタの概略構成を示す斜視図である。
【図３】一実施の形態による結線切替コネクタがストレート結線切替状態に切替接続された際における各コンタクト間の接続状態を示す図である。
【図４】一実施の形態による結線切替コネクタがクロス結線切替状態に切替接続された際における各コンタクト間の接続状態を示す図である。
【図５】（ａ）は、一実施の形態による結線切替コネクタを構成するＦＧ断続スイッチを開放させることで第１ジャック側ＦＧおよび第２ジャック側ＦＧ間のシールドケーブルによる電気的接続が切り離されることを説明するための結線図、（ｂ）は、一実施の形態による結線切替コネクタの第１ジャック側端子を第１ジャック側ＦＧ電位に接続することで第１ジャック側機器および結線切替コネクタ間のシールドケーブルの両端接地が行えることを説明するための結線図、（ｃ）は、一実施の形態による結線切替コネクタの第１ジャック側端子および第２ジャック側端子を第１ジャック側ＦＧ電位および第２ジャック側ＦＧ電位に接続することで第１ジャック側機器および第２ジャック側機器間を各シールドケーブルで多並列接地が行えることを説明するための結線図である。
【発明を実施するための形態】
【００２０】
次に、本発明の一実施の形態による結線切替コネクタについて説明する。
【００２１】
図１（ａ）は、この一実施の形態による結線切替コネクタ１の平面図、同図（ｂ）は、結線切替コネクタ１へのリード線取り付け状態を示す部分側断面図である。図２は、結線切替コネクタ１の概略構成を示す斜視図である。
【００２２】
結線切替コネクタ１は、ＬＡＮ（Local Area Network）ケーブル内部の結線方式が異なるＬＡＮケーブルどうしを接続させて、ＬＡＮケーブルの結線方式を切り替えると共に、ケーブル内部の結線方式が同じＬＡＮケーブルどうしを接続させて、ＬＡＮケーブルの長さを延長させるのに用いられる。
【００２３】
結線切替コネクタ１は、１つの回路基板２に、第１のジャック３、第２のジャック４、結線切替スイッチ５、およびフレームグランド（以下、ＦＧと記す）断続スイッチ６が実装されて、構成される。第１のジャック３には一方のＬＡＮケーブルに設けられた図示しないプラグが差し込まれ、第２のジャック４には他方のＬＡＮケーブルに設けられた図示しないプラグが差し込まれる。第１のジャック３および第２のジャック４は共に同じ構造をしており、回路基板２の両端部側の端面に、プラグが差し込まれる差し込み口７が開口している。この差し込み口７には、図示しないがプラグの８個のコンタクトと電気的に接続される８個のコンタクトが所定の配置順で設けられている。
【００２４】
一般的に、ノイズの影響を受けない環境下では、アンシールド・ツイステッド・ペア（ＵＴＰ：Unshielded Twisted Pair）と称されるシールドが施されていないタイプのＬＡＮケーブル（以下、アンシールドケーブルと記す）が使用される。ノイズ環境下では、ＣＡＴ（カテゴリ）７等の通信規格に適合するシールド・ツイステッド・ペア（ＳＴＰ：Shielded Twisted Pair）またはスクリーンド・ツイステッド・ペア（ＳｃＴＰ：Screended Twisted Pair）と称されるシールドタイプのＬＡＮケーブル（以下、シールドケーブルと記す）が使用される。シールドケーブルは、導線の周囲が金属製の箔や導電性を持つ組み紐などで覆われてシールドが施され、ケーブル内部へ外来ノイズが侵入するのが遮断される。第１のジャック３のシェル（外殻）３ａおよび第２のジャック４のシェル４ａは、シールドケーブルに設けられたプラグが差し込まれると、それぞれプラグのシェルと電気的に接続され、シールドケーブル周囲のシールドと同電位に接続される。
【００２５】
第１ジャックシェル３ａおよびＦＧ断続スイッチ６間は第１ジャック側ＦＧ用配線パターン８ａによって接続され、第２ジャックシェル４ａおよびＦＧ断続スイッチ６間は第２ジャック側ＦＧ用配線パターン８ｂによって接続される。第１ジャックシェル３ａには、第１のジャック３に接続される図示しない第１ジャック側機器の第１ジャック側ＦＧ電位が伝わり、第２ジャックシェル４ａには、第２のジャック４に接続される図示しない第２ジャック側機器の第２ジャック側ＦＧ電位が伝わる。ＦＧ断続スイッチ６は、第１ジャック側ＦＧ電位が伝わる第１ジャックシェル３ａと、第２ジャック側ＦＧ電位が伝わる第２ジャックシェル４ａとの間の電気的接続を断続する。
【００２６】
図１（ａ）に示すように、第１ジャック側ＦＧ用配線パターン８ａには第１ジャック側端子９ａが設けられ、第２ジャック側ＦＧ用配線パターン８ｂには第２ジャック側端子９ｂが設けられる。第１ジャック側端子９ａは、第１ジャック側ＦＧ用配線パターン８ａに設けられる第１ジャック側ランドＡ（本願で言う「ランド」とは、部品取付け及び接続に用いる導体パターンのことを言う）と、ネジを着脱自在とするネジ固定部によって構成される。第２ジャック側端子９ｂは、第２ジャック側ＦＧ用配線パターン８ｂに設けられる第２ジャック側ランドＡと、ネジを着脱自在とするネジ固定部によって構成される。なお、前記ネジ固定部にはネジが装着可能な穴１０a、１０bが開口して形成されている。
【００２７】
図１（ｂ）に示すように、第１ジャック側ランドＡに開口する穴１０ａにネジ１１を挿入して、リード線１２の一端に設けられる圧着端子１３を第１ジャック側ランドＡに電気的に接続させて、ネジ１１の端部を回路基板２を介してナット１４で締結することで固定し、リード線１２の他端を第１ジャック側ＦＧ電位に接続することで、第１ジャック側端子９ａは第１ジャック側ＦＧ電位に接続される。また、第２ジャック側ランドＡに開口する穴１０ｂにネジ１１を挿入して、リード線１２の一端を第２ジャック側ランドＡに電気的に接続させて、ネジ１１の端部を回路基板２を介してナット１４で締結することで固定し、リード線１２の他端を第２ジャック側ＦＧ電位に接続することで、第２ジャック側端子９ｂは第２ジャック側ＦＧ電位に接続される。
【００２８】
第１のジャック３および第２のジャック４の各コンタクト間における回路基板２には、図３および図４に実線で示す８本のクロス結線用配線パターン２１と、点線で示す８本のストレート結線用配線パターン２２とが結線切替スイッチ５を介して形成されている。なお、図３および図４において図１と同一部分には同一符号を付してその説明は省略する。回路基板２は多層配線基板になっており、クロス結線用配線パターン２１およびストレート結線用配線パターン２２は相互に電気的に接触しないように多層に形成されている。また、第１ジャック側ＦＧ用配線パターン８ａおよび第２ジャック側ＦＧ用配線パターン８ｂは回路基板２の基板表面に形成されている。これらクロス結線用配線パターン２１およびストレート結線用配線パターン２２、並びに、第１ジャック側ＦＧ用配線パターン８ａおよび第２ジャック側ＦＧ用配線パターン８ｂは、回路基板２に薄膜の導電体がパターニングされて形成される。
【００２９】
クロス結線用配線パターン２１は、第１のジャック３および第２のジャック４の各コンタクト間の電気的接続を結線切替スイッチ５を介してクロス結線切替状態に結線させる。ストレート結線用配線パターン２２は、第１のジャック３および第２のジャック４の各コンタクト間の電気的接続を結線切替スイッチ５を介してストレート結線切替状態に結線させる。
【００３０】
結線切替スイッチ５は、操作部５ａのスライド操作に応じて、８極の各極における共通端子ｃと切替端子ａまたは切替端子ｂとの間の接続を、同時に連結して切り替える。操作部５ａのスライド操作によって図３に示すように共通端子ｃと切替端子ａとが接続されると、第１のジャック３および第２のジャック４の各コンタクトの配置順が同じコンタクトどうしを接続させる図３に示すストレート結線切替状態に、第１のジャック３および第２のジャック４の各コンタクト間の電気的接続が切り替えられる。このストレート結線切替状態では、第１のジャック３の配置順１，２，３，４，５，６，７，８にある各コンタクトが第２のジャック４の配置順１，２，３，４，５，６，７，８にある各コンタクトに接続される。
【００３１】
また、操作部５ａのスライド操作によって図４に示すように共通端子ｃと切替端子ｂとが接続されると、第１のジャック３および第２のジャック４の各コンタクトの配置順が異なるコンタクトどうしを接続する切替状態を少なくとも一部に含む図４に示すクロス結線切替状態に、第１のジャック３および第２のジャック４の各コンタクト間の電気的接続が切り替えられる。このクロス結線切替状態では、第１のジャック３の配置順１，２，３，４，５，６，７，８にある各コンタクトが第２のジャック４の配置順３，６，１，７，８，２，４，５にある各コンタクトに接続される。
【００３２】
本実施形態では、クロス結線切替状態が、第１のジャック３および第２のジャック４の各コンタクトの配置順が全て異なるコンタクトどうしを接続するフルクロス結線切替状態の場合について説明しているが、クロス結線用配線パターン２１の接続態様を変えることで、第１のジャック３および第２のジャック４の各コンタクトの配置順が異なるコンタクトどうしを接続する結線切替状態を一部に含むクロス結線切替状態にも、同様にして切り替えることができる。
【００３３】
このような本実施形態の結線切替コネクタ１によれば、ＬＡＮケーブルの結線方式を切り替える場合には、操作部５ａを操作して結線切替スイッチ５を図４に示すクロス結線切替状態に切り替えることで、第１のジャック３にプラグが差し込まれる一方のＬＡＮケーブルは、ストレート結線からクロス結線へ、結線方式を切り替えて、第２のジャック４にプラグが差し込まれる結線方式が異なる他方のＬＡＮケーブルと電気的に接続される。また、第２のジャック４にプラグが差し込まれる一方のＬＡＮケーブルは、クロス結線からストレート結線へ、結線方式を切り替えて、第１のジャック３にプラグが差し込まれる結線方式が異なる他方のＬＡＮケーブルと電気的に接続される。また、ＬＡＮケーブルの長さを延長させる場合には、操作部５ａを操作して結線切替スイッチ５を図３に示すストレート結線切替状態に切り替えることで、第１のジャック３にプラグが差し込まれる一方のＬＡＮケーブルは、結線方式を変えずに、第２のジャック４にプラグが差し込まれる結線方式が同じ他方のＬＡＮケーブルと電気的に接続される。
【００３４】
したがって、１つの回路基板２に、第１および第２の２個のジャック３，４、結線切替スイッチ５、並びにクロス結線用配線パターン２１およびストレート結線用配線パターン２２を備えることで、ＬＡＮケーブルの結線方式を切り替えると共にＬＡＮケーブルの長さを延長させることが可能になる。このため、本実施形態の結線切替コネクタ１を１つ用意しておくだけで、結線の切替とＬＡＮケーブルの延長とに対応することができ、結線切替コネクタと延長コネクタとの各コネクタを必要に応じて別々に用意しておかなければならない、従来の煩雑さが解消される。また、ジャックを４個備えて構成される従来の特許文献１に開示された結線変換コネクタに比べ、２個のジャック３，４を備えることで結線切替コネクタ１を構成できるので、結線切替コネクタ１の小型化を図ることができる。
【００３５】
また、図５（ａ）に示すように、シールドケーブル３１，３２が使用され、第１ジャック側機器４４および第２ジャック側機器４５間が結線切替コネクタ１を介して接続される場合、第１ジャック側ＦＧ４４ａおよび第２ジャック側ＦＧ４５ａ間がシールドケーブル３１，３２および結線切替コネクタ１を介して短絡する。このため、第１ジャック側ＦＧ４４ａおよび第２ジャック側ＦＧ４５ａ間に電位差があると、第１ジャック側ＦＧ４４ａまたは第２ジャック側ＦＧ４５ａに大電流が流れて、第１ジャック側機器４４または第２ジャック側機器４５を破損させることが起こり得る。しかし、本実施形態によれば、このような場合であっても、ＦＧ断続スイッチ６を開放させることで、第１ジャック側ＦＧ４４ａおよび第２ジャック側ＦＧ４５ａ間のシールドケーブル３１，３２による電気的接続が切り離される。このため、ＣＡＴ７などの通信規格に適合するシールドケーブル３１，３２が使用されて、第１ジャック側機器４４および第２ジャック側機器４５間が結線切替コネクタ１を介して接続されても、第１ジャック側ＦＧ４４ａまたは第２ジャック側ＦＧ４５ａに大電流が流れて第１ジャック側機器４４または第２ジャック側機器４５が破損する事態を回避することが可能になる。
【００３６】
また、図５（ｂ）に示すように、第１ジャック側機器４４と結線切替コネクタ１との間がシールドケーブル３１によって接続され、第２ジャック側機器４５と結線切替コネクタ１との間がアンシールドケーブル３３によって接続される場合、第１ジャック側端子９ａを第１ジャック側ＦＧ４４ａの電位に接続することで、第１ジャック側機器４４と結線切替コネクタ１との間を接続するシールドケーブル３１の両端を第１ジャック側ＦＧ４４ａに接地することができる。このため、第１ジャック側機器４４と結線切替コネクタ１との間を接続するシールドケーブル３１の耐ノイズ性能を確実に発揮させることができる。
【００３７】
また、図５（ｃ）に示すように、第１ジャック側機器４４と結線切替コネクタ１との間、および、第２ジャック側機器４５と結線切替コネクタ１との間が共にシールドケーブル３１，３２によって接続される場合、第１ジャック側端子９ａを第１ジャック側ＦＧ４４ａの電位、第２ジャック側端子９ｂを第２ジャック側ＦＧ４５ａの電位に接続することで、第１ジャック側機器４４と結線切替コネクタ１との間、および、第２ジャック側機器４５と結線切替コネクタ１との間がそれぞれ両端接地される。さらに、ＦＧ断続スイッチ６を閉じることで、各シールドケーブル３１，３２の電位が共通接続されて、第１ジャック側機器４４と第２ジャック側機器４５との間が各シールドケーブル３１，３２によって多並列接地される。このため、第１ジャック側機器４４と第２ジャック側機器４５との間を接続する各シールドケーブル３１，３２の耐ノイズ性能を確実に発揮させることができる。
【００３８】
また、本実施形態の結線切替コネクタ１では、クロス結線用配線パターン２１およびストレート結線用配線パターン２２、並びに、第１ジャック側ＦＧ用配線パターン８ａおよび第２ジャック側ＦＧ用配線パターン８ｂが、回路基板２に薄膜の導電体がパターニングされて形成されるので、配線の結線を導電体のパターニングによって容易に行える。このため、結線切替コネクタ１の量産化および低コスト化が図れる。なお、配線の結線を導電体のパターニングでなく、電線を使って行うことも可能である。この場合、結線切替コネクタ１の量産化および低コスト化や、第１ジャック側端子９ａおよび第２ジャック側端子９ｂをランドを使って形成することはできないが、上述した各作用効果は奏される。また、これらの配線パターンおよび電線の長さはできる限り短い方が望ましい。
【産業上の利用可能性】
【００３９】
上記実施形態では本発明による結線切替コネクタをＬＡＮケーブル間の接続切替に用いた場合について説明した。しかし、ストレート結線とクロス結線とが用いられるＲＳ−２３２Ｃケーブルなどの他のケーブル間の接続切替にも、同様にして本発明を適用することができ、その場合においても本実施形態と同様な作用効果が奏される。
【符号の説明】
【００４０】
１…結線切替コネクタ、２…回路基板、３…第１のジャック、３ａ…第１ジャックシェル、４…第２のジャック、４ａ…第２ジャックシェル、５…結線切替スイッチ、５ａ…操作部、６…ＦＧ断続スイッチ、７…差し込み口、８ａ…第１ジャック側ＦＧ用配線パターン、８ｂ…第２ジャック側ＦＧ用配線パターン、９ａ…第１ジャック側端子、９ｂ…第２ジャック側端子、１０ａ，１０ｂ…穴、１１…ネジ、１２…リード線、１３…圧着端子、１４…ナット、２１…クロス結線用配線パターン、２２…ストレート結線用配線パターン、３１，３２…シールドケーブル、３３…アンシールドケーブル、４４…第１ジャック側機器、４４ａ…第１ジャック側ＦＧ、４５…第２ジャック側機器、４５ａ…第２ジャック側ＦＧ、Ａ…ランド
【図１】
2019114459.tif 000003
【図２】
2019114459.tif 000004
【図３】
2019114459.tif 000005
【図４】
2019114459.tif 000006
【図５】
2019114459.tif 000007